(57)【要約】      （修正有）【課題】花台に花を生けても圧迫感がなく、花により墓石の一部が隠れてしまうこともない墓石を提供する。【解決手段】墓石は、天石の上に下台が載置され、下台の上に上台が載置され、上台の上に竿石が載置された墓石であって、下台の外側に設けられた花立の上面を下台の上面よりも低くした。【選択図】図１
0003173258.tif 000002
【実用新案登録請求の範囲】
【請求項１】
天石の上に下台が載置され、下台の上に上台が載置され、上台の上に竿石が載置された墓石であって、下台の外側に設けられた花立の上面を下台の上面よりも低くしたことを特徴とする墓石。
【請求項２】
下台の高さと花立の高さとは１０：８の割合に形成されていることを特徴とする請求項１記載の墓石。
【考案の詳細な説明】
【技術分野】
【０００１】  本考案は、墓石に関するものである。
【背景技術】
【０００２】  従来の墓石は、文献１に示すように、天石の上に下台（文献１では中台）が載置され、下台の上に上台が載置され、上台の上に竿石が載置されるとともに、一対の花立が下台の上面よりも突出するとともに、下台の内側に設けられている。
【先行技術文献】
【特許文献】
【０００３】
【特許文献１】特開２００７−２９１６１９号公報
【考案の概要】
【考案が解決しようとする課題】
【０００４】  上記従来の墓石では、花台の高さが高すぎるため、花台に花を生けると、花の高さにより圧迫感があるとともに、下台の内側に一対の花立が設けられているため、花立に生けた花により墓石の一部が隠れてしまうという問題点を有していた。
【課題を解決するための手段】
【０００５】  上記従来の問題点を解消するため、本考案の墓石は、天石の上に下台が載置され、下台の上に上台が載置され、上台の上に竿石が載置された墓石であって、下台の外側に設けられた花立の上面を下台の上面よりも低くしたことを特徴とするものである。
【考案の効果】
【０００６】  本考案に係る墓石は、天石の上に下台が載置され、下台の上に上台が載置され、上台の上に竿石が載置された墓石であって、下台の外側に設けられた花立の上面を下台の上面よりも低くしたことを特徴とするものであるから、花立の高さが適度であり、花台に花を生けても圧迫感が無いとともに、花立に生けた花により墓石の一部が隠れてしまうことが無いという効果がある。
【図面の簡単な説明】
【０００７】
【図１】本考案の墓石の第１実施例の正面から見た斜視図である。
【図２】本考案の墓石の第２実施例の正面から見た斜視図である。
【図３】本考案の墓石の第３実施例の正面から見た斜視図である。
【図４】本考案の墓石の第４実施例の正面から見た斜視図である。
【図５】本考案の墓石の第５実施例の正面から見た斜視図である。
【考案を実施するための形態】
以下、この考案の墓石を実施するための形態を図面に基づいて詳細に説明する。
【０００８】
【実施例】
【０００９】  図１は、本考案の墓石の第１実施例を示すものであり、墓石１は、天石２の上に下台３が載置され、下台３の上に上台４が載置され、上台４の上に竿石５が載置されたものであって、天石２に載置する下台３の上面よりも花立６の上面を低くしており、内部に骨壷を収納するように構成されている。墓石１は、地震などで倒れないように墓石を必要に応じて円筒状にくり抜くとともにともに、その円筒部に挿入される円柱を墓石に立設されている。【００１０】  天石２は略直方体状に形成されており、下台３は天石２の上面の面積よりも小さい底面積を有する略直方体状に形成されており、上台４は下台３の上面の面積よりも小さい底面積を有する略直方体状に形成されており、竿石５は上台４の上面の面積よりも小さい底面積を有する略直方体状に形成されている。【００１１】  花立６は、内部が中空の花瓶になっており、下台３の高さが３０センチメートル〜程度であるのに対し、高さが２４センチメートル程度に設定されている。花立６は、下台３の手前位置における下台３の両側に配置されるものであり、花立６の間であって、下台３と当接させた状態に香炉台７が配設されている。花立６は、少なくとも１個設けられている。【００１２】  香炉台７は、中央部が下台３の高さの１／２程度の高さに形成されており、両端部が下台３の高さの２／３程度の高さに形成されている。香炉台７の両端部は、中央部よりも高く形成されていて、香炉台７による圧迫感を少なくしている。香炉台７の両端は、円弧状の２段の段部８が形成されている。【００１３】  図２は、本考案の墓石の第２実施例を示すものであり、墓石１は、天石２の上に下台３が載置され、下台３の上に上台４が載置され、上台４の上に竿石５が載置されたものであって、花立６は、下台３の手前位置における下台３の両側に配置されるとともに、天石２に載置する下台３の上面よりも花立６の上面を低くしており、第１実施例の構成と同一の構成のものである。この墓石１は、第１の台９に載置されるとともに、第１の台９の底面の面積よりも上面の面積が大きい第２の台１０に載置されている。第１の台９には、墓石１よりも高さの低い墓標１１が墓石１と併設して設けられている。第１の台９の両端及び後端には連接した囲い部１２が設けられている。囲い部１２の上面は断面円弧状に形成されており、前端部は囲い部１２の中間位置の高さの段部１３が形成されている。【００１４】  図３は、本考案の墓石の第３実施例を示すものであり、墓石１は、天石２の上に下台３が載置され、下台３の上に上台４が載置され、上台４の上に竿石５が載置されたものであって、天石２に載置する下台３の上面よりも花立６の上面を低くしており、花立６は、下台３の手前位置における下台３の両側に配置されるものであり、第１実施例の構成と略同一の構成のものである。この墓石１は、第１の台９に載置されるとともに、第１の台９の底面の面積よりも上面の面積が大きい第２の台１０に載置されている。上台４と竿石５との間には装飾部材１４が設けられている。囲い部１２の後部の両コーナー部には角柱１５がそれぞれ設けられている。香炉１６は、扁平に形成されており、線香を寝かして使用するようになされている。【００１５】  図４は、本考案の墓石の第４実施例を示すものであり、墓石１は、天石２の上に下台３が載置され、下台３の上に上台４が載置され、上台４の上に竿石５が載置されたものであって、天石２に載置する下台３の上面よりも花立６の上面を低くしており、花立６は、下台３の手前位置における下台３の両側に配置されるものであり、第１実施例の構成と略同一の構成のものである。この墓石１は、第１の台９に載置されるとともに、第１の台９の底面の面積よりも上面の面積が大きい第２の台１０に載置されている。上台４と竿石５との間には装飾部材１４が設けられている。墓石１の左側には、墓石１よりも高さの低い墓標１１が墓石１と併設して設けられている。香炉１６は、丸型に形成されており、線香を立てて使用するようになされている。【００１６】  図５は、本考案の墓石の第５実施例を示すものであり、墓石１は、天石２の上に下台３が載置され、下台３の上に上台４が載置され、上台４の上に竿石５が載置されたものであって、天石２に載置する下台３の上面よりも花立６の上面を低くしており、花立６は、下台３の手前位置における下台３の両側に配置されるものであり、第３実施例の構成と略同一の構成のものである。この墓石１は、第１の台９に載置されるとともに、第１の台９の底面の面積よりも上面の面積が大きい第２の台１０に載置されている。上台４と竿石５との間には装飾部材１４が設けられている。墓石１の左側には、墓石１よりも高さの低い墓標１１が墓石１と併設して設けられている。墓石１の左側及び墓標１１の右側には灯篭１７がそれぞれ立設されている。
【符号の説明】
【００１７】１    墓石
２    天石
３    下台
４    上台
５    竿石
６    花立
７    香炉台
【図１】
0003173258.tif 000003
【図２】
0003173258.tif 000004
【図３】
0003173258.tif 000005
【図４】
0003173258.tif 000006
【図５】
0003173258.tif 000007